(57)【要約】  環境に優しい又は「グリーンな（ｇｒｅｅｎ）」清掃用ワイプについて開示する。ワイプは、基材と、基材に含浸させたグリーンな高濃度水性洗浄組成物と、を含んでもよい。ワイプは水で活性化されるまでドライな手触りであって、無生物表面の洗浄に利用される。グリーンな高濃度水性洗浄組成物及び利用の直前に水で活性化されることのため、ワイプは、低濃度の洗浄組成物を予め含ませた従来のウェット式ワイプよりも広い表面積を洗浄することができ、より長期間の保存が可能であり、しかも運搬、梱包及び取扱を容易にするためにさらに軽量にすることもできる。【特許請求の範囲】
【請求項１】
基材と、前記基材に含浸させた洗浄組成物と、を含む、清掃用ワイプであって、前記洗浄組成物が、グリーンな非イオン界面活性剤と水とを含んでおり、前記洗浄組成物のナチュラルインデックス（Ｎａｔｕｒａｌ  Ｉｎｄｅｘ）が少なくとも８５％である、清掃用ワイプ。
【請求項２】
前記基材が、天然繊維、天然由来繊維及びこれらの混合物からなる群より選択されるグリーンな繊維を含む、請求項１に記載のワイプ。
【請求項３】
前記基材が、すべてグリーンな繊維から製造されている、請求項２に記載のワイプ。
【請求項４】
前記洗浄組成物が、前記基材全体に均一に分布している、請求項１に記載のワイプ。
【請求項５】
前記グリーンな非イオン界面活性剤が、アルキルポリグリコシドを含む、請求項１に記載のワイプ。
【請求項６】
前記洗浄組成物が、グリーンなアニオン界面活性剤をさらに含む、請求項１に記載のワイプ。
【請求項７】
前記グリーンなアニオン界面活性剤が、アルキル硫酸塩を含む、請求項６に記載のワイプ。
【請求項８】
前記アルキル硫酸塩が、ラウリル硫酸ナトリウム又はココアルキル硫酸ナトリウムである、請求項７に記載のワイプ。
【請求項９】
前記洗浄組成物が、グリーンなハイドロトロープをさらに含む、請求項１に記載のワイプ。
【請求項１０】
前記グリーンなハイドロトロープが、アルキルグルコシドを含む、請求項９に記載のワイプ。
【請求項１１】
前記アルキルグルコシドが、ココアルキルグルコシド、ヘキシルグルコシド及びこれらの混合物からなる群より選択される、請求項１０に記載のワイプ。
【請求項１２】
天然香料、グリーンな抗菌剤、グリーンなｐＨ調整剤、及びこれらの混合物からなる群より選択されるグリーンな成分をさらに含む、請求項１に記載のワイプ。
【請求項１３】
前記グリーンな抗菌剤が、抗菌性金属、抗菌性金属塩、精油、及びこれらの混合物からなる群より選択される、請求項１２に記載のワイプ。
【請求項１４】
前記洗浄組成物が、ミクロエマルジョンとして含まれている、請求項１に記載のワイプ。
【請求項１５】
前記洗浄組成物のナチュラルインデックスが、少なくとも９５％である、請求項１に記載のワイプ。
【請求項１６】
前記洗浄組成物の水分含有量が、１０〜４０重量％である、請求項１に記載のワイプ。
【請求項１７】
基材と、前記基材全体に均一に含浸された洗浄組成物と、を含む、清掃用ワイプであって、前記洗浄組成物がグリーンな非イオン界面活性剤と１０〜４０重量％の水とを含んでおり、前記洗浄組成物のナチュラルインデックスが少なくとも９９％である、清掃用ワイプ。
【請求項１８】
標的表面の洗浄方法であって、前記方法は、
清掃用ワイプを提供するステップであって、前記清掃用ワイプが、基材と、前記基材に含浸させた洗浄組成物と、を含み、前記洗浄組成物がグリーンな非イオン界面活性剤と水とを含んでおり、前記洗浄組成物のナチュラルインデックスが少なくとも９５％であり、
前記清掃用ワイプを水で湿らして前記清掃用ワイプを活性化させるステップと、
前記活性化された清掃用ワイプを前記標的表面に接触させるステップと、
を含む、標的表面の洗浄方法。
【請求項１９】
前記清掃用ワイプを再度湿らせるステップと、
前記標的表面に、前記再度湿らせた清掃用ワイプを再び接触させるステップと、
をさらに含む、請求項１８に記載の方法。
【請求項２０】
前記洗浄組成物の水分含有量が１０〜４０重量％である、請求項１８に記載の方法。
【発明の詳細な説明】
【技術分野】
【０００１】
環境に優しい（ｅｃｏ−ｆｒｉｅｎｄｌｙ）又は「グリーンな（ｇｒｅｅｎ）」清掃用ワイプについて開示する。ワイプは、基材（ｓｕｂｓｔｒａｔｅ）と、基材に含浸させたグリーンな高濃度水性洗浄組成物とを含んでもよい。ワイプは水で活性化されるまでドライな手触りであって、無生物表面の洗浄に利用される。ワイプは、グリーンな高濃度水性洗浄組成物及び利用の直前に水で活性化されることによって、低濃度の洗浄組成物が予め含浸された従来のウェット式ワイプよりも広い表面積を洗浄することができ、より長期間保存することが可能であり、しかも運搬、梱包及び取扱を容易にするために、より軽量にすることもできる。  
【背景技術】
【０００２】
使い捨て清掃用ワイプ及びパッドは、当該業界において周知である。ワイプには、一般に、単一物品内に基材と洗浄組成物とを含むことから、洗浄しようとする表面に対して洗浄基材と洗浄組成物とを個別に選んで適用する従来の洗浄製品よりも洗浄効率及び利便性に優れている。そのため、清掃用ワイプは、自動車の手入れ、スキンケア、家庭の掃除等に一般に用いられている。また洗浄の他に、ワイプは、消毒剤又は芳香剤等の活性成分を標的表面に供給することもできる。
【０００３】
硬質表面洗浄用の既存の使い捨て清掃用ワイプは一般にウェット式であり、洗浄組成物が予め含まれており、すなわち、洗浄組成物が含浸されているため、ワイプを標的表面に適用する前に洗浄組成物を引き続き希釈することなく使用される。一般に、前記組成物はかなりの量の水を含んでいる。例えば、従来のワイプに含浸される洗浄組成物には、５０％超、６０％超、７０％超、８０％超又は９０％超の水を含むものもある。こうした高い水分含有量が原因となって、従来のワイプ、特に天然繊維又はグリーンな繊維を含む基材を有するものは、長期間水に浸されることにより繊維の統合性が弱くなるため、保存期間が短くなりやすい。
【０００４】
水分含有量の高さによる従来のワイプにおける他の影響は、重量の増加であり、これはワイプの運搬、取扱、梱包及び保管に悪影響を及ぼす可能性がある。例えば、従来のワイプには、６〜７グラムの水性洗浄組成物が予め含まれている。さらに重要なことに、比較的低濃度の洗浄組成物が使い果たされると、従来のワイプの有効性は急激に低下することがある。そのため、ワイプ一枚では、ほんの限られた表面積しか洗浄できない。例えば、従来のワイプ一枚では、一般に、バスタブ全体を掃除することができない。そのため、バスタブ清掃のような日常的な家事清掃作業には、通常、かなりの数の従来のワイプが必要であり、ワイプを製造するのに用いられる原料の消費が増加するだけでなく、使用済みのワイプを処分してリサイクルするための労力やエネルギもより多く必要となる。
【０００５】
最終的に、従来のワイプにおける高い水分含有量は、一般に防腐剤の使用を必要とするところ、防腐剤は、ワイプの製造原価を上昇させるだけでなく、防腐剤は一般に合成品であって、天然資源及び再生可能資源を原料とするものではないので、ワイプの環境上の特徴（ｅｃｏｌｏｇｉｃａｌ  ｐｒｏｆｉｌｅ）にも悪影響を及ぼす。
【０００６】
近年、グリーンな（すなわち、環境に優しい）家庭用製品又はパーソナルケア製品に対する消費者の意識が世界的規模でかなり高まってきている。その結果、望ましい環境上の特徴を有する家庭製品の開発に多大な労力が当てられている。例えば、天然資源及び再生可能資源由来の成分を含む製品、及び自然環境のもとで生分解可能な製品は、この世界的な「環境に優しい」傾向に焦点を合わせたものである。
【０００７】
実際、植物等の再生可能資源を原料とする製品は、その閉ざされたＣＯ２サイクルによって、温室化ガスの削減に貢献している。具体的には、植物は成長する際に、使用後の生分解によって大気に放出されるのと同量の二酸化炭素（ＣＯ２）と水（Ｈ２Ｏ）を消費する。そのため、植物等の再生可能資源を原料とする製品は、「グリーンな」ものであり、石油化学系製品に比べると「二酸化炭素排出量」がゼロであるか又は削減されていると考えられる。植物素材等の再生可能資源又は石油等の再生不可能な資源はいずれも、界面活性剤、香料、油及び溶媒のような家庭用製品に共通の成分の直接的な又は間接的な原料となり得る。
【０００８】
特に、ほとんどの界面活性剤は石油化学製品を原料としているが、植物系炭化水素由来の界面活性剤も利用可能になってきている。界面活性剤の製造に適した再生可能原料の一つはグルコースであり、これはアルコールと反応してアルキルポリグリコシド（アルキルポリグルコシドとしても知られている。）を生成する。アルキルポリグリコシドは、化粧品や農業用組成物に使用されており、また工業用洗浄剤の界面活性剤としても使用されている。アルキルポリグリコシドには、パーム油又はヤシ油等の飽和熱帯植物油から得られる脂肪族アルコール（例えば、ドデカノール、テトラデカノール）から生成された疎水性（又は親油性）の炭化水素鎖が含まれる。この分子のグルコース又はデキストロースに由来する親水性部分は、デンプン、褐藻類、かんきつ類又はビートパルプから生成されることができ、通常、トウモロコシから生成される。
【０００９】
前記の望ましい環境上の特徴以外に、アルキルポリグリコシドは、目、皮膚及び粘膜にも良好な適合性を有し、さらに界面活性剤混合物の刺激作用をも軽減する。アルキルポリグリコシドはまた、好気的に及び嫌気的にどちらでも完全に生分解される。
【００１０】
アニオン界面活性剤は、天然資源及び再生可能資源から生成され得る直接前駆体を有する場合もある。例えば、長鎖アルキル硫酸塩は、便宜上、ヤシ油由来の脂肪族アルコールから生成される場合がある。特に、ココアルキル硫酸ナトリウム（ＳＣＳ）は、純粋なヤシ油を原料とし、アルキル硫酸ナトリウムと主成分であるラウリル硫酸ナトリウムとの混合物を含む。ココアルキル硫酸ナトリウムは、粘度の増加と起泡特性とが重要である様々な消費者製品に用いることができる。それは、シャンプー、ハンドソープ、バス用品、シェービングクリーム及び薬用軟膏に使用可能である。
【００１１】
活性物質の放出を制御するための組成物もまた、当該技術分野において知られている。例えば、空気中に香料又は殺虫剤を持続的に放出する単相溶液形態の香料又は殺虫剤組成物が開発されている。しかし、これらの組成物は、一般には、前記香料又は殺虫剤の放出性能を維持するために、あまり望ましくない環境上の特徴を有している。
【００１２】
したがって、より望ましい環境上の特徴を有し、しかも長期保存が可能な、従来のワイプよりも広い表面積を洗浄することのできる清掃用ワイプが必要とされている。さらには、運搬、梱包、取扱及び保存を容易にするように、低濃度の洗浄組成物を予め含む従来の「ウェット式」ワイプよりも水分含有量が少ない清掃用ワイプも必要とされている。最終的には、すべてが天然資源及び再生可能資源由来の成分であるか又は天然資源及び再生可能資源由来の成分の割合が高い洗浄組成物が含浸された、環境に優しいワイプが必要とされている。
【発明の概要】
【発明が解決しようとする課題】
【００１３】
前記のニーズを満たす、望ましい環境上の特徴と高い性能とを有する清掃用ワイプを開示する。ワイプは、基材と、基材に含浸された高濃度の洗浄組成物とを含んでもよい。低濃度の洗浄液を予め含む「ウェット式」ワイプとは異なり、本開示のワイプは、ドライな手触りであって、標的表面に使用する直前に水で活性化されてもよい。
【課題を解決するための手段】
【００１４】
本開示において用いられるとき、グリーンな要素又はグリーンな成分（ｇｒｅｅｎ  ｃｏｍｐｏｎｅｎｔ  ｏｒ  ｉｎｇｒｅｄｉｅｎｔ）とは、天然資源及び再生可能資源から生成される物質、又は天然資源及び再生可能資源から生成される直接前駆体（類）から生成される物質であると定義される。本明細書で使用される用語「ナチュラルインデックス（Ｎａｔｕｒａｌ  Ｉｎｄｅｘ）」（ＮＩ）は、天然資源及び再生可能資源から直接生成可能な成分又は天然資源及び再生可能資源から直接生成可能な直接前駆体から生成される成分を含む組成物の重量割合（ｗｅｉｇｔ  ｐｅｒｃｅｎｔａｇｅ）を指す。
【００１５】
一実施形態において、本開示のワイプの基材は、天然繊維、天然由来繊維又はこれらの混合物等のようなグリーンな要素を含んでもよい。一改良形態において、基材はすべてグリーンな要素から構成されてもよい。他の実施形態において、基材は、天然資源及び再生可能資源を原料としない、合成繊維を含んでもよい。本開示のワイプの基材は、織物でも、不織物でもよい。
【００１６】
本開示のワイプは、基材に含浸させた洗浄組成物をさらに含む。一実施形態において、洗浄組成物は、一貫した洗浄性能のために、基材全体に均一に分布されている。ワイプはドライな手触りであるため、本開示のワイプの基材は、梱包、取扱及び／又は運搬のための含浸されていないサイドマージンを必要としなくてもよい。
【００１７】
洗浄組成物は、その洗浄性能を損なわずに、改善された環境上の特徴を有してもよい。一実施形態において、洗浄組成物は、水分含有量が５０重量％未満の高濃度水性組成物である。洗浄組成物は、標準的なエマルジョン（ｅｍｕｌｓｉｏｎ）、マイクロエマルジョン（ｍｉｃｒｏ−ｅｍｕｌｓｉｏｎ）、又は溶液として含まれてもよい。
【００１８】
洗浄組成物は、洗浄剤として「グリーンな」界面活性剤を１種以上含んでもよい。また、前記組成物は、グリーンなハイドロトロープ、グリーンなｐＨ調整剤、天然香料等のような、他の任意のグリーンな成分をさらに含んでもよい。前記組成物の水分含有量は、１０〜４０重量％であってもよく、さらに好ましくは１０〜３０重量％であってもよい。
【００１９】
一実施形態では、洗浄組成物は、グリーンな非イオン性界面活性剤と水とを含む洗浄組成物である。一改良形態として、グリーンな非イオン界面活性剤は、アルキルポリグリコシドを含んでもよい。
【００２０】
さらなる改良形態として、洗浄組成物は、１種以上のグリーンな補助界面活性剤をさらに含んでもよい。グリーンな補助界面活性剤は、ラウリル硫酸ナトリウム又はココアルキル硫酸ナトリウム等のアニオン界面活性剤を含んでもよい。グリーンな界面活性剤を組み合わせることで、前記組成物の洗浄性能を相乗的に向上させることができる。
【００２１】
他の実施形態において、洗浄組成物は、１種以上のグリーンな界面活性剤と、グリーンなハイドロトロープと、水と、を含む洗浄組成物である。一改良形態として、１種以上のグリーンな界面活性剤は、非イオンであってもよく、アニオンであってもよく、又は両者の混合物であってもよい。他の改良形態として、グリーンなハイドロトロープは、ヤシ油アルキルグルコシド又はヘキシルグルコシド等のグルコシドであってもよい。グリーンな界面活性剤（類）とグリーンなハイドロトロープとを組み合わせることで、前記組成物の洗浄性能を相乗的に向上させることができる。さらに、洗浄組成物は、ガラスクリーナとして使用した場合に、従来のガラス洗浄製品よりも筋状跡が発生しにくくなる。
【００２２】
さらなる実施形態において、洗浄組成物は、１種以上のグリーンな界面活性剤と、１種以上の天然活性物質と、水と、を含む活性物質供給組成物である。一改良形態において、１種以上のグリーンな界面活性剤は、非イオンであってもよく、アニオンであってもよく、又は両者の混合物であってもよい。他の改良形態において、１種以上の天然活性物質は、天然香料、天然殺虫剤、天然油及びこれらの混合物からなる群から選択されてもよい。グリーンな界面活性剤（類）と天然活性物質（類）とを組み合わせることで、前記組成物の環境上の特徴を損なわずに、活性物質の放出を向上させることができる。
【００２３】
一部の実施形態において、グリーンな界面活性剤（類）と洗浄組成物の他のグリーンな成分により、前記組成物の環境上の特徴が向上するだけでなく、室温で汚れを自動的に可溶化させることもできる。洗浄組成物をマイクロエマルジョンとして含むことで、前記組成物の性能向上に役立つ可能性もあると考えられる。
【発明の効果】
【００２４】
本開示のワイプは、標的表面への適用の直前に水で活性化される。例えば、ユーザは、ワイプを水道水に触れさせるだけで、中に含浸されている高濃度の洗浄（ｃｌｅａｎｉｎｇ）を希釈することができる。その後、水で活性化されたワイプを、洗浄及び他の有益な目的のために標的表面に適用する。この実施形態では、使用直前にワイプを活性化するために水道水を用いることで、梱包、保管及び運搬をより便利にするためにワイプの重量をかなり削減することができるだけでなく、従来のウェット式ワイプを製造するときに使用されていた希釈水の消費も抑えることができる。
【００２５】
本開示のワイプは、様々な清掃作業に向いている。例えば、ワイプは、ガラス清掃用ワイプ、浴室清掃用ワイプ、床清掃用ワイプ、又は汎用のワイプとして使用されてもよい。一実施形態において、ワイプは、標的表面から汚れを効率的に除去するだけでなく、標的表面の上に目に見える残渣も残さない。他の実施形態において、ワイプをガラスクリーナとして使用した場合に、筋状跡が発生しにくくなる。
【発明を実施するための形態】
【００２６】
以下では、本開示のワイプ及び標的表面を洗浄するためのワイプの使用方法についての他の利点及び特徴をさらに詳細に説明する。本開示のワイプは、様々な家事及び他の用途に使用するために、必要以上に実験を行うことなく当業者によって適宜に変更され得ることは、本明細書などから理解されるであろう。
【００２７】
本開示は、一般には、グリーンな高濃度洗浄組成物を含む、環境に優しい清掃用ワイプに関する。清掃用ワイプ又は洗浄組成物の環境上の特徴を評価するために、本明細書では、天然資源及び再生可能資源から直接得られる成分、又は天然資源及び再生可能資源から直接得られる直接前駆体から生成される成分を含む組成物の重量割合を指す、ナチュラルインデックス（ＮＩ）という用語を用いる。
【００２８】
例えば、水、エタノール、乳酸、クエン酸、苛性ソーダ、天然香料、木材パルプ及び綿等の天然繊維のような成分はすべて、天然資源及び再生可能資源から得られる。また、本開示のワイプの洗浄組成物に使用されるアルキルポリグリコシド、アルキルグルコシド、ココアルキル硫酸ナトリウム（ラウリル硫酸ナトリウム）等の化合物は、天然資源及び再生可能資源から得られる直接前駆体（脂肪族アルコール、グルコース等）から生成されてもよい。同様に、例えばレーヨン、リヨセル及びビスコースのように本開示のワイプの基材に用いられる天然由来繊維もまた、天然資源及び再生可能資源から得られる直接前駆体（木材パルプ、綿等）から生成されてもよい。
【００２９】
一方、エトキシル化非イオン界面活性剤、アルキルベンゼンスルホン酸塩アニオン界面活性剤及び４級アンモニウムカチオン界面活性剤等の界面活性剤は、少なくとも一部が石油化学製品をベースとしているため、組成物のＮＩには寄与しない。同様に、完全な合成繊維、例えばナイロン、ポリエステル、アクリル、炭素繊維、ガラス繊維、金属繊維等もまた、天然資源及び再生可能資源から生成できない直接前駆体をベースとしている。
【００３０】
一般的な実施形態において、本開示のワイプは、基材と、それに含浸させたグリーンな洗浄組成物と、を含む。一実施形態におて、本開示のワイプには、洗浄組成物が約０．１〜約０．２グラム添加される。グリーンな洗浄組成物は、水性であって、さらに天然資源及び再生可能資源から得られる直接前駆体から生成されたグリーンな非イオン界面活性剤を含んでもよい。組成物の水分含有量は、１０〜４０重量％、又はさらに好ましくは１０〜３０重量％であってもよい。組成物はさらに、香料、ハイドロトロープ、補助界面活性剤、ｐＨ調整剤等のような第二のグリーンな成分を１種以上含んでもよい。前記組成物は基本的に有機溶媒を含んでいなくてもよい。さらに、前記組成物は、ＶＯＣを含んでいなくてもよい。
【００３１】
［基材］
洗浄組成物は、基材に含浸されており、標的表面への適用の直前に水で活性化される。そのため、基材の機能の一つは、保管、取扱及び運搬中に高濃度の洗浄組成物を保持できるだけでなく、使用直前にワイプが水と接触したときに高濃度の洗浄組成物を希釈することも可能な母材（Ｍａｔｒｉｘ）を提供することである。その後、基材は、希釈された洗浄組成物を標的表面に供給して分配するアプリケータとしての役割をも果たしてもよい。前記組成物は、基材中で使い果されるまで何回も希釈されてもよい。
【００３２】
場合により、基材は、表面を擦り（ｓｃｒｕｂ）、表面から除去した少なくとも一部の汚れを吸着するように機能してもよい。最後に、基材は、他のグリーンな活性成分、例えば、これらに必ずしも限定されないが、香料、防虫剤、殺虫剤、油等を供給する媒体として用いられてもよい。
【００３３】
本開示のワイプの基材は、天然繊維、天然由来繊維、又はこれらの混合物等のような、グリーンな繊維を含んでもよい。天然繊維は、セルロース含有繊維であってもよく、セルロース含有繊維は、綿繊維、亜麻繊維、麻繊維、サイザル繊維、ジュート繊維、ケナフ繊維、竹繊維、ココナツ繊維及び木材パルプを含むがこれに限定されない。本開示で使用するのに適した天然由来繊維は、レーヨン、リヨセル及びビスコース、又は天然繊維を原料とする他の材料を含んでもよいが、これらに限定されない。例えば、リヨセルは、木材パルプから生成されてもよく、ビスコースは、木材又は綿繊維から生成されてもよく、またレーヨンは、様々なセルロース含有天然繊維から生成されてもよい。
【００３４】
一部の非限定的な実施形態において、基材は、天然繊維と天然由来繊維との混合物から製造されてもよい。一実施形態において、基材は、綿とビスコース繊維との混合物を含んでもよい。他の実施形態において、基材は、木材パルプとビスコース繊維との混合物を含む。基材は、グリーンな繊維を主成分として含んでもよく、又はすべてグリーンな繊維から製造されていてもよい。
【００３５】
一部の実施形態において、基材は、天然資源及び再生可能資源を原料としない合成繊維を１種以上さらに含んでもよい。本開示のワイプの基材で使用するのに適した合成繊維は、ナイロン、ポリエステル、アクリル、オレフィン繊維（例えば、ポリエチレン及びポリプロピレン）、炭素繊維、ガラス繊維、金属繊維等を含んでもよいが、これらに限定されない。一実施形態において、基材は、ポリエステルとビスコースとリヨセル（Ｔｅｎｃｅｌ（登録商標））との混合物を含んでもよい。
【００３６】
一部の実施形態において、基材は、基材の微量成分として合成繊維を含んでもよい。一方、他の実施形態において、基材は、微量成分として合成繊維を含んでもよく、又はすべて合成繊維から製造されてもよい。基材は、織物でもよく、不織物でもよい。
【００３７】
好適な基材の成分の選択に影響を及ぼす可能性のある他の要因は、統合性、手触り、加工性及び費用等の考慮すべき事項を含む。一般に、基材は、ワイプを標的表面に適用している間又はその後の任意の再湿潤及び再使用の過程で、過度に破損したり、ボロボロになりすぎてはならない。
【００３８】
基材の形状は、様々な物理的形状の中から一つを選択されてもよい。一実施形態において、基材は、家事清掃作業に適した大きさの織布又は不織布である。基材の他の形態としては、繊維球、ビーズ又はこれら以外の形の挿入支持構造体を含んでもよいが、これらに限定されない。一実施形態において、基材は、均一な構造であり、しかも積層構造を全く含まないことから、洗浄組成物を基材全体に均一に分布又は含浸させ易い。基材の形状や大きさは、当業者にとって自明であり、本開示の範囲を制限するものではないと解釈されるべきである。
【００３９】
［グリーンな界面活性剤］
一般的な実施形態において、本開示のワイプの洗浄組成物は、１種以上のグリーンな界面活性剤及び水を含んでもよい。一実施形態において、洗浄組成物は、グリーンな界面活性剤を１５〜８０重量％、さらに好ましくは１５〜７５重量％含んでもよい。他の実施形態において、グリーンな界面活性剤は１８〜６０重量％の濃度で含まれてもよい。
【００４０】
洗浄組成物のグリーンな非イオン界面活性剤は、糖型界面活性剤、ポリオール系界面活性剤、アルキルエーテル類及びアルキルカーボネートを含んでもよいが、これらに限定されない。糖型界面活性剤は、ヤシ油中の脂肪族アルコールとトウモロコシ中のポリグルコースとから製造されるアルキルポリグリコシド（又はアルキルポリグルコシド）界面活性剤であってもよい。アルキルポリグリコシドは、その優れた環境上の特徴に加えて、生分解性であり、ヒトの皮膚に対して非刺激性であり、しかも香料油を水に溶解するのに効果的である。
【００４１】
本開示のエモーション（ｅｍｏｔｉｏｎ）に利用可能なアルキルポリグリコシドは、次の式Ｉに相当する：
【００４２】
(化１)
Ｒ１Ｏ（Ｒ２Ｏ）ｂ（Ｚ）ａ
【００４３】
前記式中、Ｒ１は炭素原子数約４〜２２の一価の有機ラジカルであり、Ｒ２は炭素原子数２〜４の二価のアルキレンラジカルであり、Ｚは、炭素原子数５又は６の単糖類残基であり、ｂは１〜約２までの値の数であり、ａは１〜約６までの値の数である。例えば、Ｚがグルコース残基であり、かつｂがゼロである、式Ｉのアルキルポリグリコシドを利用してもよい。このようなアルキルポリグリコシドは、例えばＡＰＧ（登録商標）、グルコポン（ＧＬＵＣＯＰＯＮ）（登録商標）又はプランタレン（ＰＬＡＮＴＡＲＥＮ）（登録商標）という界面活性剤としてオハイオ州４５２３２シンシナティ、エステクリーク・ドライブ５０５１番地のコグニス社（Ｃｏｇｎｉｓ）から市販されている。
【００４４】
洗浄組成物中でグリーンな界面活性剤として用いられる好適なアルキルエーテルとしては、Ｃ−Ｏ−Ｃ結合の両端部にＣ４〜Ｃ２２アルキル鎖を有するエーテル類（Ｒ１−Ｏ−Ｒ２）を含んでもよい。アルキル鎖（Ｒ１、Ｒ２）は、飽和であっても不飽和であってもよい。一実施形態において、アルキルエーテルはジカプリリルエーテルであってもよい。
【００４５】
2013502484.tif 000002
【００４６】
洗浄組成物で使用するのに適した他のグリーンな非イオン界面活性剤は、アルキルグルコースアミド、トリグリセリド、Ｎ−メチルヤシ脂肪酸グルカミド（Ｃ１２〜１４）、アミノ酸系界面活性剤、糖エステル類、ソルビトールエステル、ステロールエステル、糖脂質生物界面活性剤類等を含んでもよいが、これらに限定されない。
【００４７】
一実施形態において、洗浄組成物は、５〜８０重量％、さらに好ましくは５〜７５重量％のグリーンな非イオン界面活性剤（類）を含んでもよい。他の実施形態において、グリーンな非イオン界面活性剤（類）は、８〜６５重量％の濃度で含まれてもよい。
【００４８】
グリーンな非イオン界面活性剤に加えて、洗浄組成物は、場合により、１種以上のグリーンな補助界面活性剤を含んでもよい。グリーンな補助界面活性剤は、天然資源及び再生可能資源から生成された直接前駆体から製造されるアニオン、カチオン、双極性又は両性界面活性剤であってもよい。
【００４９】
一実施形態において、グリーンなアニオン界面活性剤は、１種以上の長鎖アルキル硫酸塩を含んでもよい。好適なアルキル硫酸塩としては、Ｃ８〜Ｃ２０硫酸ナトリウム、Ｃ８〜Ｃ２０硫酸アンモニウム、及びこれらの混合物が挙げられるが、これらに限定されない。さらに、グリーンなアニオン界面活性剤は、アルギネート（褐藻類由来の細胞壁ポリウロン酸）又はアルバン（ｕｌｖａｎｓ）（緑藻類の細胞壁に由来する硫酸化ラムノウロナン類（ｓｕｌｆａｔｅｄ  ｒｈａｍｎｏｕｒｏｎａｎｓ））系の界面活性剤をさらに含んでもよい。
【００５０】
好ましい実施形態において、グリーンなアニオン界面活性剤は、ココアルキル硫酸ナトリウム又はラウリル硫酸ナトリウムを含んでもよい。ココアルキル硫酸ナトリウムは、様々な脂肪酸（アルキル炭素鎖がわずか８〜約２０までの範囲のもの）で構成されたヤシ油を硫酸化することで製造されてもよい。ヤシ油中の脂肪酸の大部分、例えば４５〜５０％は、炭素数１２の脂肪酸である。他方、ラウリル硫酸ナトリウムは、ココアルキル硫酸ナトリウムを精製したものである。ラウリル硫酸ナトリウムを製造するときに、ヤシ油を処理して炭素数１２以外の脂肪酸の大部分を除去してから、脂肪酸を硫酸化する。
【００５１】
グリーンなアニオン界面活性剤を洗浄組成物に用いることで、汚れ除去等の組成物の性能を相乗的に向上させることができる。したがって、比較的低濃度のグリーンなアニオン界面活性剤が必要とされる。例えば、グリーンなアニオン界面活性剤の濃度は、５〜４０重量％、５〜３０重量％、又は５〜２５重量％であってもよい。一部の実施形態において、洗浄組成物における界面活性剤の合計濃度は、５０重量％以上、６０重量％以上、７０重量％以上、又は８０重量％以上であってもよく、ワイプは、低濃度の洗浄組成物が添加された従来のウェット式ワイプよりも広い表面積を洗浄することができる。
【００５２】
また、グリーンな補助界面活性剤は、カチオン界面活性剤、特にグリシンベタイン（サトウダイコン由来のもの）並びにヨーロピアン油（Ｅｕｒｏｐｅａｎ  ｏｉｌ）及び／又は熱帯植物油等の再生可能な原料から生成されるエステル型及びアミド型グリシン系界面活性剤であってもよい。一方の端部に糖の極性頭部を有し、かつもう一方の端部にカチオン性極性頭部を有する、バイポーラ両親媒性化合物（双頭型両親媒性化合物）を使用してもよい。
【００５３】
［グリーンなハイドロトロープ］
洗浄組成物は、場合により、グリーンなハイドロトロープを１種以上含んでもよい。好適なグリーンなハイドロトロープは、アルキルグルコシド、並びに天然資源及び再生可能資源から生成可能な直接前駆体（類）から製造される他のハイドロトロープが含まれてもよい。洗浄組成物中で用いられるアルキルグルコシドは、ヤシ油アルキルグルコシド、ヘキシルグルコシド、又はこれら両者の混合物であってもよい。
【００５４】
具体的には、洗浄組成物中で用いられるヘキシルグルコシドは、イリノイ州６０６０７−３８２３シカゴ、Ｗ．ヴァン・ブーレン・ストリート５２５番地のアクゾ・ノベル社（Ａｋｚｏ  Ｎｏｂｅｌ）から（「ＡＧ６２０６」として）市販されている。グルコース又はデキストロースを原料とするヘキシルグルコシドの親水性部分は、デンプン、通常はトウモロコシから得られる。同様に、洗浄組成物中で用いられるヤシ油アルキルグルコシドは、皮膚への刺激が非常に少なく、かつ、ヤシ油及び果糖を原料とする。
【００５５】
グリーンなハイドロトロープを洗浄組成物中に用いることで、汚れ除去及び／又は筋状跡の発生を軽減するなどの、前記組成物の性能を相乗的に向上させることができる。結果として、比較的低濃度のグリーンなリンカー（ｌｉｎｋｅｒ）が必要とされる。一実施形態において、洗浄組成物は、０．００１重量％〜２重量％以下のグリーンなハイドロトロープを含んでもよい。他の実施形態において、グリーンなリンカー（類）は、０．００１〜１重量％、０．００１〜０．５重量％、又は０．００１〜０．１重量％の濃度で含まれていてもよい。グリーンなハイドロトロープ１種以上を前記組成物に添加することでその性能を相乗的に向上させる一部の実施形態において、グリーンなハイドロトロープ（類）の濃度を０．００１〜０．０５重量％又は０．００１〜０．０１重量％まで低下させてもよい。
【００５６】
特定の理論に束縛されたくはないが、ハイドロトロープを洗浄組成物に添加することで、洗浄組成物の汚れの可溶化が向上する。さらに可溶化効率は、グリーンな界面活性剤とグリーンなハイドロトロープとの割合や、界面活性剤及び／又はハイドロトロープ又はこれら両者の合計濃度に左右される場合もある。一部の実施形態において、効果的に汚れを可溶化するために、０．１重量％以下、０．０５重量％以下、又は０．０１重量％以下のように、リンカーをほんの少量だけ含む必要がある場合もある。
【００５７】
［天然（グリーンな）香料］
洗浄組成物は、場合により、天然資源及び再生可能資源を原料とする香料を１種以上含んでもよい。また、前記組成物は、天然香料を空気中に、制御された方法で長時間にわたって供給するものでもよい。そのためには、マイクロエマルジョン又はナノエマルジョンとして組成物を含むことにより、香料を一貫して放出し易くすることができる。
【００５８】
例えば、洗浄組成物は、空気清浄用の天然香料を含んでもよい。天然香料は、空気中の１種以上の悪臭を消し又は空気に良い香りを付けることにより、又はその両方によって、空気をきれいにする。周知のように、香料は、通常、多数の芳香性物質の混合物からなり、芳香性物質はそれぞれ特有の香りを有している。香料中の芳香性物質の数は、一般的には１０以上である。使用される芳香性物質の種類は変更可能である。前記材料は、様々な化学分類に由来しており、一般的には水不溶性の油である。多くの場合、芳香性物質の分子量は、１５０よりも大きく、３００以内である。
【００５９】
洗浄組成物に含まれる天然香料は、消費者が知覚できる良い香りを空気に付けるのに十分な量が含まれていてもよい。悪臭がする場合には、天然香料は、空気中の悪臭の少なくともかなりの部分を消すことのできる量が含まれていてもよい。さらに好ましくは、洗浄組成物中に含まれる天然香料は、悪臭を完全に消すだけでなく、消費者が知覚する良い香りも供給する量で含まれていてもよい。
【００６０】
天然香料は、洗浄組成物中に０〜０．５重量％、さらに好ましくは０〜０．２重量％、最も好ましくは０〜０．１重量％の量で含まれていてもよい。悪臭を消すのに必要な香料の量、及び／又は消費者が知覚する良い香りを与えるのに必要な香料の量は、当業者には自明であろう。
【００６１】
本開示における香料は、化学的に活性である蒸気をもたらす芳香性物質（類）を１種以上含んでもよい。一実施形態において、香料は、揮発性の芳香化合物を構成し及び／又は含んでもよく、揮発性の芳香化合物は、天然植物抽出物、エッセンス、フレグランスオイル等を含んでもよいが、これらに限定されない。当該技術分野において周知のように、多くの精油及びその他の天然植物誘導体は、揮発性の高い香りの大部分を含んでいる。そういう意味で、数々の精油、エッセンス及び良い香りのする濃縮物が、香料及び食品事業における企業から市販されている。
【００６２】
典型的な油及び抽出物は、次の植物由来のものを含むが、これらに限定されない：アーモンド、アミリス、アニス、アーモワール、ベルガモット、カブリューバ、キンセンカ、カナンガ（ｃａｎａｎｇａ）、ヒマラヤスギ、カモミール、ココナツ、ユーカリ、ウイキョウ、ジャスミン、ジュニパー、ラベンダー、レモン、オレンジ、ヤシ、ペパーミント、カシア、ローズマリー、タイム等。
【００６３】
香料は、花及び果物由来の有機化合物から製造されてもよい。好適な有機化合物の例としては、ジミルセノール（ｄｉｍｙｒｃｅｎｏｌ）、フェニルエチルアルコール及びテトラヒドロムグオール、デシルアルデヒド、ウンデシルアルデヒド、ウンデシレンアルデヒド、ラウリンアルデヒド、アミルシンナミックアルデヒド、エチルメチルフェニルグリシデート、メチルノニルアセトアルデヒド、ミリスチンアルデヒド、ノナラクトン、ノニルアルデヒド、オクチルアルデヒド、ウンデカラクトン、ヘキシルシンナミックアルデヒド、ベンズアルデヒド、バニリン、ヘリオトロピン、ショウノウ、パラヒドロキシフェノールブタノン、６−アセチル−１，１，３，４，４，６−ヘキサメチルテトラヒドロナフタレン、α−メチルイオノン、γ−メチルイオノン及びアミルシクロヘキサノン、並びにこれらの混合物を含んでもよいが、これらに限定されない。
【００６４】
言うまでもないが、本開示のエアゾール組成物に使用するのに適した香料の種類、強さ及び香りのプロフィルは、当業者には自明であるため、本開示の範囲を制限するものではないと解釈すべきである。
【００６５】
［グリーンな抗菌（Ａｎｔｉｂａｃｔｅｒｉａｌ／Ａｎｔｉｍｉｃｒｏｂｉａｌ）剤］
洗浄組成物は、場合により、天然資源及び再生可能資源由来の抗菌剤を１種以上含んでもよい。その結果、本開示のワイプは、持続効果のある殺菌／浄化目的のために抗菌剤を標的表面に供給することができる。
【００６６】
洗浄組成物中に使用するのに適したグリーンな抗菌剤は、金属、金属塩、有機酸、及びこれらの混合物が含まれてもよい。好適な抗菌性金属としては、例えば、Ａｇ、Ａｕ、Ｐｔ、Ｐｄ、Ｉｒ、Ｃｕ、Ｓｎ、Ｓｂ、Ｐｂ、Ｂｉ、Ｚｎ、及びこれらの組み合わせを含んでもよい。特定の理論に束縛されたくはないが、抗菌性金属元素の有効性は、例えば空気酸化によって、対応する金属イオンを形成することが原因と考えられる。同様に、抗菌性金属の塩を洗浄組成物に含ませてもよい。溶解すると、金属イオンは、標的表面に抗菌効果を与えるために洗浄組成物中に放出される。一実施形態において、洗浄組成物は、コロイド状の銀と銅又は亜鉛（元素又は塩のいずれかの形態）との混合物を含む。
【００６７】
洗浄組成物中で使用するのに適した有機酸は、天然資源及び再生可能資源由来のものであってもよい。例えば、洗浄組成物は、酢酸、安息香酸、クエン酸、乳酸、リンゴ酸、ソルビン酸、酒石酸等の有機酸を含んでもよい。一実施形態では、洗浄組成物は、コロイド状の銀と１種以上の有機酸との混合物を含むことで、洗浄組成物の抗菌性能がさらに向上する。
【００６８】
グリーンな抗菌剤は、植物由来の揮発性精油を含んでもよい。抗菌剤として使用するのに好適な精油としては、シトロネラ油、レモンユーカリ油、桂皮油、ヒマシ油、ローズマリー油、レモングラス油、シダー油、ペパーミント油、丁子油、ゼラニウム油、バーべナ油、ハッカ油、ラベンダー油、松根油、カユプテ油、バジル油、タイム油、オールスパイス油、大豆油、にんにく油、オーストラリアンティーツリー油等を含んでもよいが、これらに限定されない。精油は、単独で用いても、又は前記有機酸又は抗菌性金属と併用してもよい。
【００６９】
洗浄組成物中で使用するのに適した天然抗菌剤の種類、強さ及び濃度は、当業者にとって自明であることから、本開示の範囲を制限するものと見なすべきではない。
【００７０】
［グリーンなｐＨ調整剤］
一部の実施形態において、洗浄組成物は、場合により、１種以上のｐＨ調整剤を含んでもよい。好ましくは、前記組成物で用いられるｐＨ調整剤は、天然資源及び再生可能資源由来のものであるので、前記組成物の環境上の特徴、すなわちナチュラルインデックスには悪影響を及ぼさない。
【００７１】
好適なｐＨ調整剤は、水酸化ナトリウム（塩の溶液を電気分解することで製造されるもの）、炭酸ナトリウム（鉱質沈着物として自然に存在するもの）及び重炭酸ナトリウム（鉱物塩として自然に存在するもの）を含んでもよい。また、グリーンなｐＨ調整剤は、天然資源又は再生可能資源に由来する有機酸を１種以上含んでもよい。例えば、有機酸は、クエン酸（果物や野菜の中に自然に存在するもの）、乳酸（乳糖、コーンスターチ又はジャガイモを発酵させることで生成されるもの）、酢酸（デンプン又は果物を発酵させることで生成されるもの）等であってもよい。乳酸又はクエン酸の使用はまた、せっけんかすや石灰のカスの除去に効果を発揮する可能性もある。最後に、グリーンなｐＨ調整剤は、前記有機酸の塩を１種以上、例えばクエン酸ナトリウム、酢酸ナトリウム等を含んでもよい。
【００７２】
言うまでもないが、洗浄組成物中に使用するのに適したグリーンなｐＨ調整剤の種類及び濃度は、前記組成物の要求されるｐＨに左右されると考えられ、また本開示を踏まえれば、必要以上の実験を行わなくとも当業者にとって自明であろう。
【００７３】
［筋状跡の発生を軽減するグリーンな物質］
一部の実施形態（例えば、ガラス洗浄用ワイプ）において、洗浄組成物は、場合により、筋状跡の発生を軽減する物質を１種以上含んでもよい。好ましくは、前記組成物中で使用される筋状跡の発生を軽減する物質は、天然資源及び再生可能資源由来のものであることから、前記組成物の環境上の特徴（すなわち、ナチュラルインデックス）には悪影響を及ぼさない。
【００７４】
好適な筋状跡の発生を軽減するグリーンな物質は、酒石酸の塩等のグリーンな有機酸の塩を含んでもよい。一実施形態では、洗浄組成物は、酒石酸塩を１〜０．００１重量％含む。
【００７５】
言うまでもないが、洗浄組成物中で使用するのに適した筋状跡の発生を軽減するグリーンな物質の種類及び濃度は、前記組成物の具体的な用途によって決定されるものであり、また本開示を踏まえれば、必要以上の実験を行わずとも当業者にとって自明であろう。
【００７６】
洗浄組成物の特徴の一つは、その適切な水分含有量である。水分含有量が高いときは、各清掃用ワイプが標的表面に供給することができる洗浄剤（例えば、界面活性剤）の量を減少させることがある。その結果、水分含有量が比較的高いワイプでは、本開示のワイプよりも洗浄する表面積が実質的に狭くなる場合がある。一実施形態では、従来のワイプではバスタブ表面の２８％しか洗浄できないのに対し、本開示のワイプでは、バスタブ表面の２０８．３３％を効率良く洗浄できる。別の実施形態では、従来のワイプでは、シャワー表面の１６．８２％を洗浄できるが、一方、本開示のワイプでは、シャワー表面の１２６．１８％を洗浄できる。
【００７７】
逆に、水分含有量が少なすぎる場合及び／又は増粘剤を含んでいる場合には、洗浄組成物は、清掃用ワイプの製造及び／又は用途にあまり望ましくないレオロジー特性（ｒｈｅｏｌｏｇｉｃａｌ  ｃｈａｒａｃｔｅｒｉｓｔｉｃ）を有する可能性がある。例えば、洗浄組成物が高濃度のペースト状だと、前記組成物を基材全体に均一に含浸させるのは困難である。また、このような高濃度のペーストは、適応洗浄組成物に希釈するのが容易ではない可能性もある。一実施形態において、本開示のワイプは、基本的に増粘剤を含まない。
【００７８】
本開示のワイプで使用される比較的低水分含有量の洗浄組成物はまた、従来のワイプで使用される低水分含有量ではない洗浄組成物に要求される防腐剤を使用しなくてもよい。そのため、一部の実施形態では、本開示のワイプは、基本的に防腐剤を含まない。さらに、本開示のワイプに添加される洗浄組成物は、従来のウェット式ワイプで使用される洗浄組成物よりも高濃度なため、より少ない用量を含んでもよい。結果として、本開示のワイプの重量はかなり軽くなり、ドライな手触りであり、しかも保管、取扱及び運搬をより簡便かつ高効率にすることができる。一実施形態において、本開示のワイプは、約０．１〜約０．２グラムの高濃度の洗浄組成物を含む。
【００７９】
本開示のワイプに使用される洗浄組成物のもう一つの特徴は、その高いナチュラルインデックスである。その結果、前記組成物は、その環境上の特徴を損なわずに、性能改善を実現する。例えば、前記組成物は、８５％以上、９５％以上、９７％以上、９８％以上、又は９８．５％以上の高いナチュラルインデックスを有してもよい。一実施形態において、洗浄組成物のナチュラルインデックスは、９９％以上である。
【００８０】
本開示のワイプの基材が、天然繊維又は天然由来繊維等のグリーンな要素で製造されている場合、本開示のワイプは、８５％以上、９５％以上、９７％以上、９８％以上、又は９８．５％以上の高いナチュラルインデックスを有してもよい。一実施形態において、ワイプのナチュラルインデックスは９９％以上である。
【００８１】
本開示のワイプに使用される洗浄組成物の非限定的な例を以下に挙げる。
【００８２】
組成物Ａ
【００８３】
【表１】
2013502484.tif 000003
【００８４】
組成物Ｂ
【００８５】
【表２】
2013502484.tif 000004
【００８６】
組成物Ｃ
【００８７】
【表３】
2013502484.tif 000005
【００８８】
組成物Ｄ
【００８９】
【表４】
2013502484.tif 000006
【００９０】
[使用方法]
一般的な実施形態において、本開示の内容は、標的表面、特に浴室及びシャワー表面等の家庭内表面の洗浄方法であって、本開示にかかる清掃用ワイプを提供するステップと、清掃用ワイプを水で湿らしてワイプを活性化させる（すなわち、洗浄組成物を希釈する）ステップと、活性化された清掃用ワイプを標的表面に接触させるステップと、を含む方法に関する。場合により、前記方法は、清掃用ワイプを再度湿らせるステップと、標的表面に、再度湿らせた清掃用ワイプを再び接触させるステップと、をさらに含む。
【００９１】
一実施形態において、清掃用ワイプは、標的表面に手で適用（ｈａｎｄ−ａｐｐｌｉｅｄ）される。他の実施形態において、ワイプは、モップ又はスウィーパー等の清掃装置の遠端部に取り付ける。ワイプは、活性化される前に又は活性化後に清掃装置に取り付けられてもよい。一改良形態において、清掃装置には、貯水器と、清掃装置に取り付けたときにワイプに水を直接噴霧するためのディスペンサと、が備わっていてもよい。
【００９２】
上述のとおり、本開示のワイプは、使用直前に水で活性化される。水による活性化は、ワイプに水を直接注ぐか又はワイプを水中に素早く浸すことで行ってもよい。あるいは、標的表面を予め水でぬらしておいてもよく、標的表面上の水に触れさせることでワイプを活性化してもよい。本開示のワイプは、清掃過程において、１回以上活性化されてもよい。例えば、ワイプは、まず水で活性化されてから清掃に使用し、その後、清掃作業を完了するために又はワイプの洗浄組成物を使い果すまで、必要に応じて再び活性化されてもよい。
【００９３】
本開示のワイプの特徴の一つは、洗浄組成物が基材全体に均一に含浸されているので、迅速かつ簡便に水による活性化を行うことができることである。そのために、本開示のワイプの活性化には温水又は熱水は必要ではなく、これによりさらに水とエネルギとの消費が削減される。さらには、水による活性化は清掃過程の直前に行されるので、ワイプの活性化には水道水又は循環水で足りる。また一方で、本開示のワイプは、熱水又は温水、若しくは水道水、又は循環水よりも純度の高い水で活性化することももちろん可能である。
【００９４】
一般に、水による活性化は、清掃用ワイプを、バスタブ又はシャワーを含む領域内で容易に入手できる水源（例えば、バスタブの蛇口又はシャワーヘッド）に直接浸すことで行うことができる。また、水は、別の場所から供給され、例えばシリンジ、園芸用ホース、噴霧ボトル、コンテナ、バケツ等を用いてワイプ又は洗浄すべき表面まで移動されてもよい。
【００９５】
本開示の方法は、特に、家庭内の表面から汚れ、せっけんかす、石灰カス、及び他の汚れ物質を除去するのに適している。また一方で、前記方法は、標的表面に追加的に抗菌性及び抗真菌性効果を与えることも可能である。家庭内の表面を洗浄するための本開示の方法及びワイプの特別な効果にもかかわらず、同様の方法及びワイプが、その他の無生物表面、特に硬質表面の洗浄にも使用できることは、当業者にとって自明であると解釈すべきである。
【００９６】
特定の実施形態のみを記載してきたが、当業者にとって、以上の記載から代替案や改良案は自明であろう。これらの及びその他の代替案は同価値であって、しかも本開示の内容及び添付の特許請求の範囲の趣旨び領域の範囲内にあるものと考えられる。
【国際調査報告】
2013502484.tif 000007
2013502484.tif 000008
2013502484.tif 000009
2013502484.tif 000010